(57)【要約】      （修正有）【課題】光ファイバをはじめとした伝送線を、光ケーブルに対する引張り力から保護することができる光モジュールを提供する。【解決手段】光モジュールは、光ファイバ１４の外周に配置された第１の抗張力部材１６と、その外周に配置された第２の抗張力部材１７と、その外周に配置された外被18を有する光ケーブル１１と、光ケーブル１１の端末に取り付けられた筐体と、を備え、第１の抗張力部材１６と第２の抗張力部材１７は、光ケーブル１１における所定軸線方向のうち筐体が固定された方向と逆側へ加えられる引っ張り力に抗するように、筐体に固定されている。【選択図】図１０
2015014668.tif 000002
【特許請求の範囲】
【請求項１】
所定軸線方向に延びる光ファイバの外周に配置された第１の抗張力部材と、
前記第１の抗張力部材の外周に配置された第２の抗張力部材と、
前記第２の抗張力部材の外周に配置された外被と、を有する光ケーブルと、
前記光ケーブルの端末に取り付けられた筐体と、を備え、
前記第１の抗張力部材と前記第２の抗張力部材は、前記光ケーブルにおける前記所定軸線方向のうち前記筐体が固定された方向と逆側へ加えられる引っ張り力に抗するように、前記筐体に固定されている、光モジュール。
【請求項２】
前記筐体に前記光ケーブルを固定する光ケーブル端末固定具をさらに備え、
前記第１の抗張力部材と前記第２の抗張力部材は、前記光ケーブル端末固定具に対して、固定され、
前記光ケーブル端末固定具は、前記筐体に対して固定されている、請求項１に記載の光モジュール。
【請求項３】
前記光ケーブル端末固定具は、前記外被を固定する外被固定部と、前記外被固定部の内部に前記光ファイバを挿通する挿通路と、を有する本体部を備える請求項２に記載の光モジュール。
【請求項４】
前記光ケーブル端末固定具は、
前記本体部の側方に、前記第１の抗張力部材と前記第２の抗張力部材とが固定された側部を備える請求項３に記載の光モジュール。
【請求項５】
前記第１の抗張力部材は、前記挿通路を通して前記側部における一方の面に沿わせて配置されており、
前記第２の抗張力部材は、前記挿通路を通さず、前記側部における他方の面に沿わせて配置されている、請求項４に記載の光モジュール。
【請求項６】
前記第１の抗張力部材は、前記側部に巻き付けられることによって、前記光ケーブル端末固定具に固定されている、請求項４または５に記載の光モジュール。
【請求項７】
前記第２の抗張力部材は、前記側部に沿わせて配置され、
前記第１の抗張力部材は、前記第２の抗張力部材を前記側部と前記第１の抗張力部材との間に挟むことによって、前記第２の抗張力部材を前記光ケーブル端末固定具に固定する、請求項６に記載の光モジュール。
【請求項８】
前記第２の抗張力部材は、前記側部に巻き付けられることによって、前記光ケーブル端末固定具に固定されている、請求項７に記載の光モジュール。
【請求項９】
前記側部は、前記ケーブル挿通路の中心軸に対して対称位置に設けられた複数の巻付け部を備え、
前記第１の抗張力部材と前記第２の抗張力部材の少なくとも一方は、前記巻付け部に巻き付けられている、請求項６〜８のいずれかに記載の光モジュール。
【請求項１０】
前記側部は、前記本体部に向けて折り返され、
前記外被は、前記側部および前記本体部の外周に当接して前記本体部に固定されている、請求項４〜９のいずれかに記載の光モジュール。
【請求項１１】
前記光ケーブルは、前記第１の抗張力部材と前記第２の抗張力部材との間に、前記光ファイバと異なる伝送線をさらに備える、請求項１〜１０のいずれかに記載の光モジュール。
【請求項１２】
前記筐体は、前記光ファイバが接続される光電変換部が搭載された回路基板を収容する、請求項１〜１１のいずれかに記載の光モジュール。
【請求項１３】
前記伝送線は電線であり、前記電線は前記回路基板にはんだ付けされている、請求項１２に記載の光モジュール。
【発明の詳細な説明】
【技術分野】
【０００１】
本発明は、光モジュールに関する。
【背景技術】
【０００２】
光モジュールとしては、光ケーブルの光ファイバと接続される光電変換部が搭載された回路基板と、回路基板を収容する金属製の筐体を備えたものが知られている。この光モジュールは、入出力される電気信号を光電変換部により光信号に変換し、光信号による信号伝送を行っている。
【０００３】
この光モジュールに使用される光ケーブルは、単心又は多心の光ファイバの外周を金属管で覆われ、その外周に光ケーブルの引っ張り強度を高める抗張力部材が縦添えされ、さらにその外周を外被で覆われた、金属管型光ケーブルが知られている（例えば、特許文献１参照）。
【０００４】
この光モジュールは、光ケーブル端部の外被が除去され、金属管と抗張力部材が露出される。この露出した金属管および抗張力部材の外周に円筒状の２個の金属スリーブが嵌め込まれる。そして、光ケーブルの末端側の第１の金属スリーブが加締められてから、抗張力部材が折り返される。その後、折り返した抗張力部材の先端が先に嵌め込んだ第２の金属スリーブの内側に挿入され、第２の金属スリーブを加締めることで、抗張力部材が金属管の外周に固定される。
【先行技術文献】
【特許文献】
【０００５】
【特許文献１】特許第３９８８６５５号公報
【発明の概要】
【発明が解決しようとする課題】
【０００６】
しかしながら、上記光モジュールは、一箇所にまとめられた抗張力繊維によって光ファイバをはじめとした伝送線が保護されているので、光ケーブルへの強い引張り力に対して信号線の保護が不十分となる可能性がある。特に、伝送線として光ファイバとともに電線が配置された電気光複合ケーブルを用いる場合には、各伝送線に対する引張り力からの保護が不十分となる可能性がある。
【０００７】
本発明の目的は、光ファイバをはじめとした伝送線を、光ケーブルに対する引張り力から保護することができる光モジュールを提供することにある。
【課題を解決するための手段】
【０００８】
上記課題を解決するために本発明がとり得る一態様は、所定軸線方向に延びる光ファイバの外周に配置された第１の抗張力部材と、前記第１の抗張力部材の外周に配置された第２の抗張力部材と、前記第２の抗張力部材の外周に配置された外被と、を有する光ケーブルと、前記光ケーブルの端末に取り付けられた筐体と、を備え、前記第１の抗張力部材と前記第２の抗張力部材は、前記光ケーブルにおける前記所定軸線方向のうち前記筐体が固定された方向と逆側へ加えられる引っ張り力に抗するように、前記筐体に固定されている光モジュール、とすることができる。
【０００９】
本発明の他の特徴については、後述する明細書及び図面の記載により明らかにする。
【発明の効果】
【００１０】
本発明に係る光モジュールによれば、光ファイバをはじめとした伝送線を、光ケーブルに対する引張り力から保護することができる。
【図面の簡単な説明】
【００１１】
【図１】本発明に係る光モジュールの一実施形態例を示す斜視図である。
【図２】図１の光モジュールの内部を示す斜視図である。
【図３】図１の光モジュールの筐体、および、光ケーブル端末固定具を示す斜視図である。
【図４】光ケーブルの構成を示す断面図である。
【図５】図１の光モジュールを使用する一例を示す概念図である。
【図６】光ケーブル端末固定具を示す斜視図である。
【図７】図６の光ケーブル端末固定具の取り付け状態を示す斜視図である。
【図８】図６の光ケーブル端末固定具の取り付け状態を示す斜視図である。
【図９】図６の光ケーブル端末固定具の取り付け状態を示す断面図である。
【図１０】図６の光ケーブル端末固定具の取り付け状態を示す断面図である。
【図１１】図６の光ケーブル端末固定具の取り付け状態を示す断面図である。
【発明を実施するための形態】
【００１２】
後述する明細書及び図面の記載から、少なくとも以下の事項が明らかになる。
【００１３】
（１）：所定軸線方向に延びる光ファイバの外周に配置された第１の抗張力部材と、
前記第１の抗張力部材の外周に配置された第２の抗張力部材と、
前記第２の抗張力部材の外周に配置された外被と、を有する光ケーブルと、
前記光ケーブルの端末に取り付けられた筐体と、を備え、
前記第１の抗張力部材と前記第２の抗張力部材は、前記光ケーブルにおける前記所定軸線方向のうち前記筐体が固定された方向と逆側へ加えられる引っ張り力に抗するように、前記筐体に固定されている、光モジュールである。
【００１４】
このような構成によれば、光ケーブルに筐体が固定された方向と逆側へ引っ張り力が加えられたとしても、第１の抗張力部材と第２の抗張力部材の２箇所に分散して当該引っ張り力に抗することができる。その結果、当該引っ張り力から光ファイバを保護することができる。
【００１５】
（２）：（１）に記載の光モジュールであって、
前記筐体に前記光ケーブルを固定する光ケーブル端末固定具をさらに備え、
前記第１の抗張力部材と前記第２の抗張力部材は、前記光ケーブル端末固定具に対して、固定され、
前記光ケーブル端末固定具は、前記筐体に対して固定されている光モジュールである。
【００１６】
このような構成によれば、第１の抗張力部材と第２の抗張力部材を容易に筐体に対して固定できる。
【００１７】
（３）：（２）に記載の光モジュールであって、前記光ケーブル端末固定具は、前記外被を固定する外被固定部と、前記外被固定部の内部に前記光ファイバを挿通する挿通路と、を有する本体部を備える光モジュールである。
【００１８】
このような構成によれば、外被を光ケーブル端末固定具に固定することで、当該引っ張り力から光ファイバを保護することができる。
【００１９】
（４）：（３）に記載の光モジュールであって、前記光ケーブル端末固定具は、
前記本体部の側方に、前記第１の抗張力部材と前記第２の抗張力部材とが固定された側部を備える光モジュールである。
【００２０】
このような構成によれば、第１の抗張力部材と第２の抗張力部材とを、容易に光ケーブル端末固定具に固定できる。
【００２１】
（５）：（４）に記載の光モジュールであって、前記第１の抗張力部材は、前記挿通路を通して前記側部における一方の面に沿わせて配置されており、
前記第２の抗張力部材は、前記挿通路を通さず、前記側部における他方の面に沿わせて配置されている光モジュールである。
【００２２】
このような構成によれば、第１の抗張力部材と第２の抗張力部材と外被とを、容易に光ケーブル端末固定具に固定できる。
【００２３】
（６）：（４）または（５）に記載の光モジュールであって、前記第１の抗張力部材は、前記側部に巻き付けられることによって、前記光ケーブル端末固定具に固定されている、光モジュールである。
【００２４】
このような構成によれば、第１の抗張力部材を、強固に光ケーブル端末固定具に固定できる。
【００２５】
（７）：（６）に記載の光モジュールであって、前記第２の抗張力部材は、前記側部に沿わせて配置され、
前記第１の抗張力部材は、前記第２の抗張力部材を前記側部と前記第１の抗張力部材との間に挟むことによって、前記第２の抗張力部材を前記光ケーブル端末固定具に固定する光モジュールである。
【００２６】
このような構成によれば、第２の抗張力部材を第１の抗張力部材とともに容易に光ケーブル端末固定具に固定できる。
【００２７】
（８）：（７）に記載の光モジュールであって、前記第２の抗張力部材は、前記側部に巻き付けられることによって、前記光ケーブル端末固定具に固定されている光モジュールである。
【００２８】
このような構成によれば、第２の抗張力部材を強固に光ケーブル端末固定具に固定できる。
【００２９】
（９）：（６）〜（８）のいずれかに記載の光モジュールであって、前記側部は、前記ケーブル挿通路の中心軸に対して対称位置に設けられた複数の巻付け部を備え、
前記第１の抗張力部材と前記第２の抗張力部材の少なくとも一方は、前記巻付け部に巻き付けられている、光モジュールである。
【００３０】
このような構成によれば、当該引っ張り力が光ケーブル端末固定具に分散して伝わるので、当該引っ張り力光ケーブル端末固定具が破損することを防止できる。
【００３１】
（１０）：（４）〜（９）のいずれかに記載の光モジュールであって、前記側部は、前記本体部に向けて折り返され、
前記外被は、前記側部および前記本体部の外周に当接して前記本体部に固定されている
光モジュールである。
【００３２】
このような構成によれば、第１の抗張力部材と第２の抗張力部材と外被とを、容易に光ケーブル端末固定具に固定できる。
【００３３】
（１１）：（１）〜（１０）のいずれかに記載の光モジュールであって、前記光ケーブルは、前記第１の抗張力部材と前記第２の抗張力部材との間に、前記光ファイバと異なる伝送線をさらに備える、光モジュールである。
【００３４】
このような構成によれば、外被に対する引っ張り力が伝送線（光ファイバや電線）に加わることを防止できるから、当該引っ張り力から伝送線を十分に保護することができる。
【００３５】
（１２）：（１）〜（１１）のいずれかに記載の光モジュールであって、前記筐体は、前記光ファイバが接続される光電変換部が搭載された回路基板を収容する光モジュールである。
【００３６】
このような構成によれば、光ファイバが接続される光電変換部に当該引っ張り力が作用することを防止できる。
【００３７】
（１３）：（１２）に記載の光モジュールであって、前記伝送線は電線であり、前記電線は前記回路基板にはんだ付けされている光モジュールである。
【００３８】
このような構成によれば、伝送線が接続される回路基板に当該引っ張り力が作用することを防止できる。
【００３９】
添付の図面を参照しつつ、本発明に係る実施形態のより具体的な例について以下詳細に説明する。なお以下の説明に用いる各図面では、各部材を認識可能な大きさとするために縮尺を適宜変更している。
【００４０】
図１に示すように、本実施形態の光モジュール１０は、光ケーブル１１の端部にコネクタ１０ａが接続されて構成されている。光ケーブル１１は光ファイバや電線といった伝送線をコネクタ１０ａに対して導入する。コネクタ１０ａは、先端側に設けられる電気コネクタ１２と、回路基板２２を収容した金属製の筐体２０（図２参照）を被う外装ハウジング１９と、を備えている。光ケーブル１１と筐体２０との接続部分はブーツＢによって被われている。
【００４１】
図２に示すように、本実施形態の光モジュール１０は、筐体２０が光ケーブル１１の端末に取り付けられている。光ケーブル１１の先端は光ケーブル端末固定具３０に対して固定されており、光ケーブル端末固定具３０は筐体２０に対して固定されている。即ち、筐体２０は光ケーブル端末固定具３０を介して光ケーブル１１に固定されている。また、筐体２０は、光ファイバ１４が接続される光電変換部が搭載された回路基板２２を収容する。また、電線１５は回路基板２２における電気的部分にはんだ付けされている（図示は省略）。好ましい形態においては、光電変換部が回路基板２２の一方の面に搭載され、当該一方の面に光ファイバ１４が導入されて接続される。そして、回路基板２２の他方の面に電線１５が導入されて接続される。
【００４２】
図２，図３に示すように、筐体２０は、断面が略矩形形状を呈する筒状の部材であり、光ファイバ１４が接続される光電変換部が搭載された回路基板２２などを収容する空間Ｓを画成している。また、筐体２０は、前端部に電気コネクタ１２が設けられ、後端部に光ケーブル１１を固定する光ケーブル端末固定具３０が連結されている。筐体２０は、鋼（Ｆｅ系）、ブリキ（錫めっき銅）、ステンレス、銅、真鍮、アルミなどの熱伝導率の高い（好ましくは１００Ｗ／ｍ・Ｋ以上）金属材料により形成されている。
【００４３】
筐体２０の前端部には、電気コネクタ１２を保持するコネクタ固定部２１が設けられている。コネクタ固定部２１は、電気コネクタ１２を収容すると共に、電気コネクタ１２（回路基板２２）の前後方向の移動を規制する。コネクタ固定部２１の前端は、電気コネクタ１２の前端と略面一となっている。また、筐体２０には、保持片２３ａ，２３ｂが設けられている。保持片２３ａ，２３ｂは、筐体２０の後端部において両端側（左右）に一対設けられており、筐体２０の上部から下側に折り返されて下部に向かって延びている。光ケーブル端末固定具３０は保持片２３ａ，２３ｂに挟み込まれることにより、筐体２０に固定される。光ケーブル１１の先端を光ケーブル端末固定具３０に対して固定する構成については後述する。
【００４４】
光ケーブル１１は、所定軸線方向に延びる光ファイバ１４の外周に配置された第１の抗張力部材１６と、第１の抗張力部材１６の外周に配置された第２の抗張力部材１７と、第２の抗張力部材１７の外周に配置された外被１８を有する。より具体的には、図４に示すように、光ファイバテープ心線１４ａと、抗張力繊維の束を沿わせてなる第１の抗張力部材１６と、光ファイバテープ心線１４ａ及び第１の抗張力部材１６を収容する円筒状のインナーチューブ１３と、インナーチューブ１３の周囲に設けられた第２の抗張力部材１７と、第２の抗張力部材１７の外周に設けられた外被１８とを備えている。外被１８および第２の抗張力部材１７の内側であってインナーチューブ１３の外側は、収容部Ｅとされており、この収容部Ｅには複数（例えば１０本）の電線１５が収容されている。
【００４５】
光ファイバテープ心線１４ａは、複数（本例では４本）の光ファイバ１４を平面上に並列させて被覆樹脂でテープ状に一体化されたものである。光ファイバ１４は、コアとクラッドが石英ガラスである光ファイバ（ＡＧＦ：All Glass Fiber）、クラッドが硬質プラスチックからなる光ファイバ（ＨＰＣＦ：Hard Plastic Clad Fiber）、等を用いることができる。なお、光ファイバテープ心線１４ａは複数本設けられていても良い。
【００４６】
インナーチューブ１３は、ノンハロゲン難燃性樹脂である例えばＰＶＣ（Polyvinylchloride）などの絶縁樹脂からなる。インナーチューブ１３は、例えば、外径が２．０ｍｍ、厚さが０．５５ｍｍである。
【００４７】
第１の抗張力部材１６は、例えば極細径のアラミド繊維であり、束状に集合された状態で光ケーブル１１に内蔵されている。第１の抗張力部材１６は光ケーブル１１における抗張力機能を有する。
【００４８】
第２の抗張力部材１７は、例えば複数本の錫めっき導線を編組したものであり、光ケーブル１１における抗張力機能を有する。好ましくは、外被１８を構成する部材よりも高いヤング率を有するように構成される。また、第１の抗張力部材１６よりも外周に配置された第２の抗張力部材１７は、熱伝導を良好に確保することが好ましく、一例としては平角線の錫めっき導線で構成されていることが好ましい。また、第２の抗張力部材１７の編組密度は例えば７０％以上、編み角度が４５°〜６０°であり、熱伝導率は、例えば４００Ｗ／ｍ・Ｋである。なお、第２の抗張力部材１７としては、銅線または銅合金線を横巻きしても良く、また、ポリエチレンテレフタレート（ＰＥＴ）樹脂から形成された樹脂テープに銅箔やアルミニウム箔が形成された金属樹脂テープを巻いても良い。
【００４９】
外被１８は、例えばポリオレフィンなどの絶縁樹脂から形成されている。外被１８は、例えば、外径が４．２ｍｍ、厚さが０．５ｍｍである。
【００５０】
電線１５は、何れも錫メッキが施された軟銅線または銅合金線からなる素線を複数本撚り合わせた導体１５ａを被覆１５ｂによって覆った絶縁ケーブルを用いることができ、例えば、ＡＷＧ（American Wire Gauge）の規格によるＡＷＧ２０〜４６程度のケーブルを用いるのが好ましい。被覆１５ｂの材料としては、耐熱性、耐薬品性、非粘着性、自己潤滑性などに優れたテトラフルオロエチレン−パーフルオロアルキルビニルエーテル共重合体（ＰＦＡ）樹脂等のフッ素樹脂を用いるのが好ましい。
【００５１】
図５は、光モジュール１０を使用する一例として、パーソナルコンピュータ１００と給電型ハードディスク２００とを光モジュール１０により電気的かつ光的に接続している状態を説明するための概念図である。図５に示すように、光モジュール１０は、パーソナルコンピュータ１００のケーブル接続部と接続するＰＣ側コネクタ１００ａ（コネクタ１０ａの一例）と給電型ハードディスク２００のケーブル接続部と接続するハードディスク側コネクタ２００ａ（コネクタ１０ａの一例）とを連結している。
【００５２】
ＰＣ側コネクタ１００ａは、受光素子１０２と、発光素子１０３と、プラス電極１０４と、マイナス電極１０５とを備える。受光素子１０２は、光ファイバ１１４ａを経由して給電型ハードディスク２００から送信されてきた光信号をレンズ１０１を介して受光する。発光素子１０３は、パーソナルコンピュータ１００側の光信号をレンズ１０１を介して光ファイバ１１４ｂに対して送信する。プラス電極１０４は５本の電線１１５ａと接続される（例えばはんだ付け）。マイナス電極１０５は５本の電線１１５ｂと接続される（例えばはんだ付け）。また、パーソナルコンピュータ１００は、電源コンセント１０６を有している。
【００５３】
ハードディスク側コネクタ２００ａは、受光素子２０２と、発光素子２０３と、プラス電極２０４と、マイナス電極２０５とを備える。受光素子２０２は、光ファイバ１１４ｂを経由して送信されてきた光信号をレンズ２０１を介して受光する。発光素子２０３は、光ファイバ１１４ａに対してレンズ２０１を介して光信号を送信する。プラス電極２０４は電線１１５ａと接続される（例えばはんだ付け）。マイナス電極２０５は電線１１５ｂと接続される（例えばはんだ付け）。
【００５４】
給電型ハードディスク２００は、光ケーブル１１の内部に収容される電線１１５ａ，１１５ｂを介して、パーソナルコンピュータ１００から電力が供給され、動作する。すなわち、電線１１５ａ，１１５ｂは電源線である。また、給電型ハードディスク２００は、光ファイバ１１４ａ，１１４ｂを介して高速通信を行い、パーソナルコンピュータ１００とデータを交換する。なお、電線１１５ａ，１１５ｂは電源線として用いられる場合の他、光ファイバ１１４ａ，１１４ｂとは別に低速信号の送受信を行う必要がある場合には、通信線としても用いられる。以下の説明において、光ファイバ１１４と電線１１５を、通信または電力の供給を行う線路としての伝送線と称することがある。
【００５５】
図６に示すように、本実施形態の光ケーブル端末固定具３０は、本体部３１、基部３２および側部３５が一体形成されている。本体部３１は、外被１８を固定する外被固定部３３と、その内部に光ファイバ１４を挿通する挿通路３４を有する円筒形状である。基部３２は、本体部３１の前端に配置された平板形状である。即ち、本体部３１は基部３２から後方に突出するように設けられている。図３を参照すると、本体部３１が筐体２０の保持片２３ａ，２３ｂに保持されることによって、光ケーブル端末固定具３０は筐体２０に固定される。
【００５６】
側部３５は、基部３２（本体部３１）の両側方に形成された巻付け部３６を有している。巻付け部３６は、左右対称に設けられ、光ケーブル１１の第１の抗張力部材１６を複数本に束ねて巻き付けられる。
【００５７】
次に、図６〜８を参照して光ケーブル１１の先端を光ケーブル端末固定具３０に対して固定する構成を詳細に説明する。
【００５８】
図７に示すように、光ケーブル１１の外被１８を剥いで、第２の抗張力部材１７が露出される。次に、光ケーブル１１の光ファイバ１４、インナーチューブ１３、図示しない電線１５、および第１の抗張力部材１６が本体部３１の挿通路３４に挿通される。そして、挿通路３４から挿通された第１の抗張力部材１６は、基部３２の表面側から巻付け部３６側に沿って引き出される。一方、第２の抗張力部材１７は、基部３２の裏面側から巻付け部３６側に沿って引き出される。
【００５９】
次に、第１の抗張力部材１６は、巻付け部３６の表側から第１の巻付け凹部３６ａ内に通され、巻付け部３６の裏側から第２の巻付け凹部３６ｂ内に通され、巻付け部３６の表側から下方の第３の巻付け凹部３６ｃ内に通される。そして、第１の抗張力部材１６は、巻付け部３６の裏側から再び第１の巻付け凹部３６ａ内に通され、巻付け部３６の表側から再び第２の巻付け凹部３６ｂ内に通され、巻付け部３６の裏側から再び第３の巻付け凹部３６ｃ内に通される。このように第１の抗張力部材１６は、巻付け部３６の複数箇所に分岐した段部３８の巻付け凹部３６ａ，３６ｂ，３６ｃに複数回巻き付けられることで、ほどけることがなく強固に巻き付けられる。
【００６０】
なお、第１の抗張力部材１６は、両方の巻付け部３６に２分岐させた一例を説明したが、これに限定されるものではなく、例えば、１本に束ねられ、ケーブル挿通路３４の中心軸に対して対称位置に設けられた複数の段部３８に逐一巻き付ける巻き付け構造であっても良い。
【００６１】
図７，８に示すように、側部３５は折り返し部３９を介して本体部３１に向けて折り返し可能であり、外被１８を固定する機能を有している。側部３５は、基部３２に近い側に形成された外被圧着部３７と、遠い側に形成された段部３８を備えている。
【００６２】
外被圧着部３７は、外被１８の一部を外被固定部３３との間に挟みこんで圧着して固定するものであり、折り返し部３９を介して基部３２と連結されている。外被圧着部３７は、外被圧着部３７が基部３２と連結する部分との反対側に、段部３８が形成されている。
【００６３】
段部３８は、略三角形の平板形状であり、その先端に、側部３５の折り返し方向に向けて突出する部分が形成されている。段部３８は、この形態では左右の側部３５にそれぞれ上下一対、合計４個形成されており、外被１８はこれら複数の段部３８によって押圧される。段部３８は、外被圧着部３７により固定された外被１８の一部と外被１８の他の一部との間に段差部４０が形成されるように外被１８を光ケーブル１１の中心側に押さえて固定する。
【００６４】
また、光ケーブル端末固定具３０は、側部３５を本体部３１に向けて折り返したときに、側部３５の長さ（基部３２から段部３８の先端までの長さ）と本体部３１の長さ（基部３２から突出している部分の長さ）とが相違するように形成されている。本体部３１の長さが、側部３５の長さよりも短く形成されており，光ケーブル端末固定具３０を加締めた場合、外被圧着部３７は本体部３１（外被固定部３３）に圧着されるが、段部３８に対向した位置に本体部３１が形成されていないため、段部３８を外被圧着部３７より光ケーブル１１の中心側に固定することができる。
【００６５】
図９は、光モジュール１０の筐体２０に連結された光ケーブル端末固定具３０を示しており、光ケーブル端末固定具３０に光ケーブル１１を取り付けて固定した場合の断面図を示している。
【００６６】
図９に示されるように、側部３５は、外被圧着部３７が、本体部３１の外被固定部３３との間に外被１８を挟んでいる。段部３８の対向する位置には外被固定部３３が形成されていないため、固定されるときに段部３８が光ケーブル１１の中心側に押されて折れ曲がり、外被圧着部３７によって固定された外被１８部分と段部３８によって固定された外被１８部分との間に段差部４０が形成される。外被１８は、外被圧着部３７から内側に縮径させる圧着力を受けるとともに、段部３８から中心部に押し込まれる圧着力を受けて強く固定される。なお、段部３８は、かならずしも外被圧着部３７よりも光ケーブル１１の中心側に固定される必要はない。すなわち、外被圧着部３７を折り返し部３９から折り返しただけでも、段部３８は外被圧着部３７により固定された外被１８の一部と外被１８の他の一部との間に段差部４０が形成されるように外被１８を光ケーブル１１の中心側に押さえて圧着して固定することができる。
【００６７】
そして、第１の抗張力部材１６および第２の抗張力部材１７は段部３８を備える側部３５に固定されているから、段部３８が外被１８を固定する際に、第１の抗張力部材１６および第２の抗張力部材１７が段部３８と外被１８の間に挟み込まれる。これにより、光ケーブル１１は、第１の抗張力部材１６、第２の抗張力部材１７および外被１８を介して光ケーブル端末固定具３０に固定される。
【００６８】
また、本実施形態においては、第２の抗張力部材１７も光ケーブル端末固定具３０に対して固定されている。これを図１０および図１１を用いて具体的に説明する。
【００６９】
図１０は、第２の抗張力部材１７を光ケーブル端末固定具に対して固定する方法の一例を示す図である。本実施形態においては、第２の抗張力部材１７は、側部３５に沿わせて配置されている。具体的には、側部３５における第１の抗張力部材１６が沿わせてある面とは逆側の面に沿わせ、巻付け部３６に至るまで延在して配置されている。そして、第１の抗張力部材１６を巻付け部３６に巻き付ける際に、第２の抗張力部材１７を側部３５と前記第１の抗張力部材１６との間に挟み込むように巻き付ける。このようにすれば、第２の抗張力部材１７を第１の抗張力部材１６とともに光ケーブル端末固定具３０に対して固定することができる。
【００７０】
図１１は、第２の抗張力部材１７を光ケーブル端末固定具３０に対して固定する方法の他の一例を示す図である。本実施形態においては、第２の抗張力部材１７は、側部３５に巻き付けられることによって、光ケーブル端末固定具３０に固定されている。具体的には、第２の抗張力部材１７を側部３５における第１の抗張力部材１６が沿わせてある面とは逆側の面に沿わせ、巻付け部３６に至まで延在して配置されている。そして、第２の抗張力部材１７を、第１の抗張力部材１６を巻付け部３６に巻き付けるのと同様の手順に従って巻き付ける。さらに、第２の抗張力部材１７が巻き付けられた巻付け部３６に、第２の抗張力部材１７の上からさらに第１の抗張力部材１６を巻き付ける。このようにすれば、第２の抗張力部材１７を第１の抗張力部材１６とともに光ケーブル端末固定具３０に対して固定することができる。
【００７１】
このように、第１の抗張力部材１６と第２の抗張力部材１７を光ケーブル端末固定具３０に対して固定することによって、光ケーブル１１に筐体２０が固定された方向と逆側へ引っ張り力が加えられたとしても、第１の抗張力部材１６と第２の抗張力部材１７の２箇所に分散して当該引っ張り力に抗することができる。その結果、当該引っ張り力から光ファイバ１４を保護することができる。
【００７２】
特に、本実施形態において、光ケーブル１１は、所定軸線方向に延びる光ファイバ１４の外周に配置された第１の抗張力部材１６を備える。さらに、第１の抗張力部材１６の外周に配置された第２の抗張力部材１７と、第２の抗張力部材１７の外周に配置された外被１８を有し、外被１８および第２の抗張力部材１７の内側に電線１５が収容されている。このような光ケーブル１１において第２の抗張力部材１７を第１の抗張力部材１６とともに光ケーブル端末固定具３０に対して固定することで、前述の引っ張り力から光ファイバ１４および電線１５を保護することができる。光ケーブル１１に対する引っ張り力は、典型的には外被１８に対して加えられるから、外被１８と電線１５の間の第２の抗張力部材１７が引っ張り力に抗するように光ケーブル端末固定具３０に固定されていれば、外被１８に対する引っ張り力が電線１５に加わることを防止できる。その結果、光ケーブル１１に対する引っ張り力から電線１５をも保護することができる。このような観点から、第２の抗張力部材１７は外被１８よりヤング率の大きくなるように構成されていることが好ましい。
【００７３】
また、第１の抗張力部材１６は挿通路３４を通して側部３５における一方の面（筐体２０の内部側）に沿わせて配置されている。一方、第２の抗張力部材１７は挿通路３４を通さず、側部３５における他方の面（筐体２０の外部側）に沿わせて配置されている。このように、それぞれが側部３５の反対側の面に沿わせた状態で固定することによって、第１の抗張力部材１６と第２の抗張力部材１７を光ケーブル端末固定具３０に対して固定する作業時に両者を分離できるから、作業性が良い。
【００７４】
なお、本実施形態では、第１の抗張力部材１６と第２の抗張力部材１７は、光ケーブル端末固定具３０に対して、光ケーブル１１における筐体２０が固定された方向と逆側へ加えられる引っ張り力に抗するように固定されていれば良いので、上記の固定方法には限定されない。即ち、第１の抗張力部材１６と第２の抗張力部材１７が、筐体２０に対して直接固定されているか、または、何らかの部材を介して（例えば本実施形態の光ケーブル端末固定具３０を介して）間接的に固定されていれば良い。固定方法は、上記の固定方法のように第１の抗張力部材１６と第２の抗張力部材１７を巻き付けて固定する以外にも、接着剤等を用いて固着する手段を用いても良い。
【００７５】
本発明の光モジュールは、上述した実施形態に限定されるものではなく、適宜、変形、改良等が自在である。
【符号の説明】
【００７６】
１０…光モジュール
１１…光ケーブル
１２…電気コネクタ
１３…インナーチューブ
１４…光ファイバ
１５…電線
１６…第１の抗張力部材
１７…第２の抗張力部材
１８…外被
１９…外装ハウジング
２０…筐体
２１…コネクタ固定部
２２…回路基板
３０…光ケーブル端末固定具
３１…本体部
３２…基部
３３…外被固定部
３４…挿通路
３５…側部
３６…巻付け部
３７…外被圧着部
３８…段部
３９…折り返し部
４０…段差部
【図１】
2015014668.tif 000003
【図２】
2015014668.tif 000004
【図３】
2015014668.tif 000005
【図４】
2015014668.tif 000006
【図５】
2015014668.tif 000007
【図６】
2015014668.tif 000008
【図７】
2015014668.tif 000009
【図８】
2015014668.tif 000010
【図９】
2015014668.tif 000011
【図１０】
2015014668.tif 000012
【図１１】
2015014668.tif 000013